(57)【特許請求の範囲】
【請求項１】
アタリとなるアタリＵＲＬを保持するＵＲＬ保持部と、
端末装置ＩＤと、その端末装置において切り替えのたびに新たに表示されるウエッブページのＵＲＬと、を含むページめくり情報を所定の情報源から取得して、取得したＵＲＬが保持されているアタリＵＲＬと合致するか判断する判断部と、
判断結果が合致するとの判断結果である場合には、その端末装置に対してゴホウビ情報を含むアタリ信号を送信するアタリ信号送信部と、
ページめくり情報に基づいて同時端末ＩＤを管理する同時端末ＩＤ管理部と、
管理されている同時端末ＩＤを端末装置に対して送信する同時端末ＩＤ送信部と、を有するアタリ信号サーバ装置と、
ウエッブページを切り替え表示可能なウエッブページ切替表示部と、
アタリ信号サーバ装置からゴホウビ情報を含むアタリ信号を受信するためのアタリ信号受信部と、
受信したアタリ信号に基づいてゴホウビ情報を取得し、ゴホウビ情報を出力するゴホウビ情報出力部と、
表示しているウエッブページのＵＲＬと、自身を識別する端末装置ＩＤとを取得してアタリ信号サーバ装置に送信するウエッブ表示情報送信部と、
同一ウエッブページを同時表示する他の端末装置ＩＤである同時端末ＩＤを取得する同時端末ＩＤ取得部と、
ゴホウビ情報出力部からゴホウビ情報を出力した場合に、同時端末ＩＤに基づいて端末装置ＩＤとその利用者を管理するサーバから一のウェブページの同時視聴者である利用者を示す情報である同席者情報を取得して表示する同席者情報表示部と、を有する端末装置と、からなるウエッブ遊戯システム。
【請求項２】
アタリ信号サーバ装置は、
端末装置からアタリＵＲＬを受付けてアタリＵＲＬ保持部に保持させるアタリＵＲＬ受付部をさらに有し、
端末装置は、
ユーザからアタリＵＲＬの入力を受け付けるアタリＵＲＬ入力受付部と、
受け付けたアタリＵＲＬをアタリ信号サーバ装置に対して送信するためのアタリＵＲＬ送信部と、をさらに有する請求項１に記載のウエッブ遊戯システム。
【請求項３】
端末装置は、
チャット情報をユーザから受け付け、他のユーザからのチャット情報を出力するためのチャット入出力部と、
チャット入出力部にて入出力されるチャット情報の送受信をするためのチャット情報送受信部と、を有し、
アタリ信号サーバ装置は、
ゴホウビ情報を出力した端末装置のチャット情報送受信部から送信されるチャット情報を同時端末ＩＤ管理部にて管理されている同時端末ＩＤで識別される端末装置ユーザ間でのみ転送処理するチャット処理部を有する請求項１または２に記載のウエッブ遊戯システム。
【請求項４】
アタリ信号サーバ装置と、ウエッブページを切り替え表示可能なウエッブページ切替表示部を有する端末装置と、からなるウエッブ遊戯システムにおけるウエッブ遊戯方法であって、
アタリ信号サーバ装置にて、
端末装置からアタリＵＲＬを受付けて保持するアタリＵＲＬ受付ステップと、
端末装置ＩＤと、その端末装置において切り替えのたびに新たに表示されるウエッブページのＵＲＬと、を含むページめくり情報を所定の情報源から取得して、取得したＵＲＬが保持されているアタリＵＲＬと合致するか判断する判断ステップと、
判断結果が合致するとの判断結果である場合には、その端末装置に対してゴホウビ情報を含むアタリ信号を送信するアタリ信号送信ステップと、
ページめくり情報に基づいて同時端末ＩＤを管理する同時端末ＩＤ管理ステップと、
管理されている同時端末ＩＤを端末装置に対して送信する同時端末ＩＤ送信ステップと、を実行し、
端末装置にて、
ユーザからアタリＵＲＬの入力を受け付けるアタリＵＲＬ入力受付ステップと、
受け付けたアタリＵＲＬをアタリ信号サーバ装置に対して送信するアタリＵＲＬ送信ステップと、
アタリ信号サーバ装置からゴホウビ情報を含むアタリ信号を受信するアタリ信号受信ステップと、
受信したアタリ信号に基づいてゴホウビ情報を取得し、ゴホウビ情報を出力するゴホウビ情報出力ステップと、
表示しているウエッブページのＵＲＬと、自身を識別する端末装置ＩＤとを取得してアタリ信号サーバ装置に送信するウエッブ表示情報送信ステップと、
同一ウエッブページを同時表示する他の端末装置ＩＤである同時端末ＩＤを取得する同時端末ＩＤ取得ステップと、
ゴホウビ情報出力ステップにてゴホウビ情報を出力した場合に、同時端末ＩＤに基づいて端末装置ＩＤとその利用者を管理するサーバから一のウェブページの同時視聴者である利用者を示す情報である同席者情報を取得して表示する同席者情報表示ステップと、を実行する
ウエッブ遊戯システムにおけるウエッブ遊戯方法。
【発明の詳細な説明】
【技術分野】
【０００１】
本発明は、サーバ装置と、端末装置からなるウエッブ遊戯システムに関するものである。
【背景技術】
【０００２】
ウエッブサイトの提供者がアクセス数の増加を図るためには、端末装置からユーザの属性情報を取得し、これに応じてユーザの趣向に沿ったウエッブサイトのデータベースを構築する手法などがすでに提案されている（特許文献１参照。）。
【特許文献１】特開２００６−３０９３８０号公報
【発明の開示】
【発明が解決しようとする課題】
【０００３】
しかしながら、上記特許文献１で示される手法では、端末装置から適切にユーザの属性情報が取得できることが前提となっており、加えて、ユーザの属性からユーザの趣向を予測することは不確定であるといえる。
【課題を解決するための手段】
【０００４】
本発明はかかる実情に鑑み、端末装置において切り替えのたびに新たに表示されるウエッブページのＵＲＬと、アタリ信号サーバ装置に保持されているアタリＵＲＬとが合致する場合には、その端末装置に対してアタリ信号を送信するアタリ信号サーバ装置と、受信したアタリ信号に基づいてゴホウビ情報を取得する端末装置と、からなるウエッブ遊戯システムである。また、本ウエッブ遊戯システムは、端末装置にてユーザからアタリＵＲＬを受け付けて、アタリ信号サーバ装置に対して送信することができる。
【０００５】
また、本ウエッブ遊戯システムの端末装置は、表示しているウエッブページのＵＲＬと、自身を識別する端末装置ＩＤとを取得してアタリ信号サーバ装置に送信する場合もある。さらに、本ウエッブ遊戯システムのアタリ信号サーバ装置にて管理する同一ウエッブページを同時表示する他の端末装置ＩＤを、端末装置にて取得し、この端末装置ＩＤに基づいて同時視聴者を示す情報である同席者情報を取得して端末装置にて表示する場合もある。加えて、本ウエッブ遊戯システムは、同時端末ＩＤで識別される端末装置ユーザ間でのみチャット処理を実行することも可能である。
【発明の効果】
【０００６】
以上、説明したように本件発明に係るウエッブ閲覧システムは、閲覧しているウエッブページにアタリが設定されている場合に、ユーザはゴホウビを得ることができるため、ウエッブページの閲覧に娯楽性、遊戯性が加わることになり、アクセス数の増加が期待できる。
【発明を実施するための最良の形態】
【０００７】
以下に、各発明を実施するための最良の形態を説明する。各実施形態と請求項の関係はおおむね次のようなものである。実施形態１は、主に請求項１、６について説明する。  実施形態２は、主に請求項２について説明する。  実施形態３は、主に請求項３について説明する。  実施形態４は、主に請求項４について説明する。  実施形態５は、主に請求項５について説明する。  なお、本発明はこれら実施の形態に何ら限定されるものではなく、その要旨を逸脱しない範囲において、種々なる態様で実施しうる。
【０００８】
また、以下に記載する各機能ブロックは、ハードウェア、またはメモリ上に展開しハードウェアを制御することでその作用が得られるソフトウェア、またはハードウェア及びソフトウェアの両方として実現されうる。具体的には、コンピュータを利用するものであれば、ＣＰＵ、メモリ、ハードディスクドライブ、ＣＤ−ＲＯＭ／ＤＶＤ−ＲＯＭなどの読み取りドライブ、各種通信用の送受信ポート・インターフェイス・その他の周辺装置などのハードウェア構成部、それらハードウェアを制御するためのドライバプログラム、その他アプリケーションプログラムなどが挙げられる。
【０００９】
さらに、この発明は装置またはシステムとして実現できるのみでなく、方法としても実現可能である。またこのような発明の一部をソフトウェアとして構成することもできる。さらにそのようなソフトウェアをコンピュータに実行させるために用いるソフトウェア製品、及び同製品を固定した記録媒体も、当然にこの発明の技術的な範囲に含まれる（本明細書の全体を通じて同様である。）
【００１０】
＜＜実施形態１＞＞
【００１１】
本実施形態の概要について説明する。本実施形態は、端末装置において切り替えのたびに新たに表示されるウエッブページのＵＲＬと、アタリ信号サーバ装置に保持されているアタリＵＲＬとが合致する場合には、その端末装置に対してアタリ信号を送信するアタリ信号サーバ装置と、受信したアタリ信号に基づいてゴホウビ情報を取得する端末装置と、からなるウエッブ遊戯システムである。
【００１２】
図１は、本実施形態のウエッブ遊戯システムの一例を示すものである。アタリ信号サーバ装置には予めアタリＵＲＬが保持されているとする。端末装置にてウエッブページの切り替え表示が可能であり、今、新たに表示されたウエッブページのＵＲＬが、アタリ信号サーバ装置に予め保持されていたアタリＵＲＬと合致した状態を示している。アタリ信号サーバ装置は、この端末装置に対してアタリ信号を送信する。端末装置は、アタリ信号を受信し、これに基づいてゴホウビ情報を取得して出力する。図では、一例として、端末装置の表示画面にアタリの表示が出力されている場面を示した。
【００１３】
このように、本ウエッブ遊戯システムは、アタリを見つけようと探すユーザによってウエッブサイトのアクセス数や、ウエッブページのビュー数の増加が期待できる。また、ユーザもウエッブページを閲覧する際、同時にアタリを探してゴホウビの特典を享受することができ、娯楽性が付加される。
【００１４】
＜実施形態１：構成＞  図２は、本実施形態のウエッブ遊戯システムの機能ブロックの一例を示したものである。  図２に示す本実施形態の「ウエッブ遊戯システム」（０２００）は、「アタリ信号サーバ装置」（０２１０）と、「端末装置」（０２２０）とからなる。さらに、アタリ信号サーバ装置（０２１０）は、「アタリＵＲＬ保持部」（０２１１）と、「判断部」（０２１２）と、「アタリ信号送信部」（０２１３）と、を有し、端末装置（０２２０）は、「ウエッブページ切替表示部」（０２２１）と、「アタリ信号受信部」（０２２２）と、「ゴホウビ情報出力部」（０２２３）と、を有する。
【００１５】
（ウエッブ遊戯システム  ０２００）  「ウエッブ遊戯システム」（０２００）は、後述する「アタリ信号サーバ装置」（０２１０）と、「端末装置」（０２２０）とから構成される。本システムは、ユーザがアタリを設定することや、他のユーザがこのアタリを発見することを通して、ウエッブ閲覧の娯楽性、遊戯性を高めることを目的とするシステムである。また本システムは、アタリくじで賞品がもらえる喜びを、ウエッブ上で再現するシステムである。
【００１６】
（アタリ信号サーバ装置  ０２１０）  「アタリ信号サーバ装置」（０２１０）は、端末装置に対してアタリ信号を送信することが可能な装置一般を広く含む。アタリ信号とは、ゴホウビ情報というメリットをユーザが享受するために必要な信号をいう。以下にアタリ信号サーバ装置の構成要素を列挙して説明する。
【００１７】
（アタリＵＲＬ保持部  ０２１１）  「アタリＵＲＬ保持部」（０２１１）は、アタリとなるアタリＵＲＬを保持する。アタリＵＲＬとは、端末装置が表示することでゴホウビ情報を取得できる条件となるウエッブページの所在地を示すデータをいう。アタリＵＲＬは階層的に表現することができ、アタリＵＲＬ保持部にて保持されるアタリＵＲＬは最下層を示すものだけでなく、中間層を示すものでもよい。アタリＵＲＬ保持部では、複数のアタリＵＲＬを保持するが、常に一定のＵＲＬを保持しておくだけではなく、適宜アタリＵＲＬの追加、変更、削除等の更新処理が行われる場合がある。アタリＵＲＬの追加等については、後述する。
【００１８】
（判断部  ０２１２）  「判断部」（０２１２）は、ページめくり情報を所定の情報源から取得して、取得したページめくり情報に含まれるＵＲＬが、アタリＵＲＬ保持部（０２１１）に保持されているアタリＵＲＬと合致するか判断する。ページめくり情報とは、端末装置ＩＤと、その端末装置において切り替えのたびに新たに表示されるウエッブページのＵＲＬと、を含む情報をいう。ページめくり情報の取得元となる所定の情報源とは、端末装置の他、端末装置の表示するウエッブページのＵＲＬを管理するサーバ、インターネットサーバ、ゲートウェイサーバなどが該当する。新たに表示されるウエッブページのＵＲＬは、ページの切替要求や、ブラウジングウィンドウのオープン／クローズ情報に応じて取得されることを想定している。ページめくり情報に含まれるＵＲＬと、保持されているアタリＵＲＬとの比較処理は、表示切替によってページめくり情報（新たに表示されるウエッブページのＵＲＬ）が更新されるごとに実行されるとしてもよいし、一定時間経過ごとに実行されるとしてもよい。
【００１９】
（アタリ信号送信部  ０２１３）  「アタリ信号送信部」（０２１３）は、判断結果が合致するとの判断結果である場合には、その端末装置に対してアタリ信号を送信する。アタリ信号を送信する端末装置は、ページめくり情報に含まれる端末装置ＩＤによって識別できる。
【００２０】
（端末装置  ０２２０）  ウエッブページの表示が可能な装置一般を広く含む。端末装置は、ＰＣなどの設置型の装置にとどまらず、携帯電話、ＰＤＡなど携帯型の装置が該当する場合もある。なお端末装置は、本ウエッブ遊戯システムによるゲームへ参加する際に、アタリ信号サーバ装置にログインする構成の場合もある。ログオフ状態においては、ウエッブページ切替表示要求の送信、アタリ信号の受信、ゴホウビ情報の出力の処理は休止するとしてもよい。以下に端末装置の構成要素を列挙して説明する。
【００２１】
（ウエッブページ切替表示部  ０２２１）  「ウエッブページ切替表示部」（０２２１）は、ウエッブページの切り替え表示を行なう。ウエッブページの表示を切り替えるたびに新たに表示されるウエッブページのＵＲＬを、アタリ信号サーバ装置や、端末装置の表示するウエッブページのＵＲＬを管理するサーバに対して送信する場合がある（これについては、実施形態３にて詳述する。）。なお、ウエッブページの切替表示は、一のウィンドウ内での表示を切り替えるものに限定されず、新たなウィンドウを重ねて表示するものも含まれる場合がある。
【００２２】
（アタリ信号受信部  ０２２２）  「アタリ信号受信部」（０２２２）は、アタリ信号サーバ装置からアタリ信号を受信するための処理を行なう。受信するアタリ信号は、暗号化等されており、端末装置でのみ利用可能に復号化できるとしてもよい。
【００２３】
（ゴホウビ情報出力部  ０２２３）  「ゴホウビ情報出力部」（０２２３）は、受信したアタリ信号に基づいてゴホウビ情報を取得し、ゴホウビ情報を出力する。ゴホウビ情報とは、端末装置のユーザに特典を付与するための情報をいう。アタリ信号に基づくゴホウビ情報の取得とは、アタリ信号をキーとして、予め用意されたゴホウビ情報のテーブルを検索することによって得られるものや、所定の演算式などを用いて生成するものなどが例示できる。また、複数のアタリ信号を揃えてはじめてゴホウビ情報が取得できるとしてもよい。ゴホウビ情報の出力とは、具体的には、電子マネーの加算、特典ページの表示、特典ファイルのダウンロード実行などが列挙できる。取得できるゴホウビ情報は、常に一定のものに固定されている必要はない。所定の条件（例えば、乱数、時刻情報、過去に取得したゴホウビ情報の履歴など）に基づいて、取得できるゴホウビ情報に変動が生じるとしてもよい。また、ゴホウビ情報は、他の端末装置でも利用可能であることが望ましい。
【００２４】
＜実施形態１：ハードウェア構成＞  図３は、本実施形態のハードウェア構成の一例を示す概略図である。この図を利用して、ウエッブ遊戯システムの処理実行におけるそれぞれのハードウェア構成部の働きについて説明する。アタリ信号サーバ装置（０３１０）は、アタリＵＲＬ保持部における処理を実現するために「記憶装置（又は記憶媒体）」（０３１３）を備え、さらに、判断部における処理を実現するために「ＣＰＵ（中央演算装置）」（０３１１）と、「メインメモリ」（０３１２）と、を備える。また上記ハードウェア構成部に加えて「Ｉ／Ｏ」（０３１４）を備え、アタリ信号送信部における処理を実現するために出力インターフェイス機能を用いる。これらは、「システムバス」（０３１５）などのデータ通信経路によって相互に接続され、情報の送受信や処理を行う。
【００２５】
同様に、端末装置（０３２０）は、ゴホウビ情報出力部における処理を実現するために「ＣＰＵ（中央演算装置）」（０３２１）と、「メインメモリ」（０３２２）と、「記憶装置（又は記憶媒体）」（０３２３）と、を備える。また上記ハードウェア構成部に加えて「Ｉ／Ｏ」（０３２４）を備え、アタリ信号受信部における処理を実現するために入力インターフェイス機能を用いる。さらに、ウエッブページ切替表示部における処理を実現するために、記載していないが出力インターフェイスを介してディスプレイ等と接続している。これらは、「システムバス」（０３２５）などのデータ通信経路によって相互に接続され、情報の送受信や処理を行う。
【００２６】
記憶装置（０３１３、０３２３）はＣＰＵ（０３１１、０３２１）にて実行される各種プログラムや、アタリＵＲＬなどを記憶している。また、メインメモリ（０３１２、０３２２）は記憶装置に記憶されているプログラムを実行するために、そのプログラムを読み出して展開する領域であるワーク領域と、データなどを一時的に格納するデータ領域とを提供する。さらに、このメインメモリや記憶装置にはそれぞれ複数のメモリアドレスが割り当てられており、ＣＰＵで実行されるプログラムは、そのメモリアドレスを特定しアクセスすることで相互にデータのやり取りを行い、処理することが可能となっている。以上が各ハードウェア構成の機能である。
【００２７】
まず、端末装置（０３２０）の電源を入れると、記憶装置（０３２３）に記憶されているウエッブページ切替表示プログラム（ウエッブページ切替表示部）（アドレス０１）、ゴホウビ情報出力プログラム（ゴホウビ情報出力部）（アドレス０２）がメインメモリのワーク領域（アドレス１１、１２）にそれぞれ展開される。同様に、アタリ信号サーバ装置（０３１０）においても、記憶装置（０３１３）に記憶されている判断プログラム（判断部）（アドレス０１）、アタリ信号送信プログラム（アタリ信号送信部）（アドレス０２）がメインメモリのワーク領域（アドレス１１、１２）にそれぞれ展開される。
【００２８】
端末装置が、Ｉ／Ｏ（入力インターフェイス）（０３２４）を介するなどして、利用者からのウエッブページ表示切替の操作入力を検知した場合には、その入力がトリガとなり、メインメモリのワーク領域に展開されたウエッブページ切替表示プログラム（アドレス１１）がＣＰＵによって実行される。ウエッブページ切替表示プログラムは、受け付けた入力操作に基づいて、指定されたＵＲＬで示されるウエッブページに表示を切り替える。このとき、切替表示したウエッブページのＵＲＬをＩ／Ｏ（出力インターフェイス）を介してアタリ信号サーバ装置などに送信する場合もある。
【００２９】
また、アタリ信号サーバ装置（０３１０）では、Ｉ／Ｏ（入力インターフェイス）（０３１４）を介して、所定の情報源からページめくり情報を取得し、一旦メインメモリのデータ領域（アドレス１００）などに格納しておく。ページめくり情報のメインメモリへの格納がトリガとなり、メインメモリのワーク領域に展開された判断プログラム（アドレス１１）がＣＰＵによって実行される。判断プログラムは、ページめくり情報に含まれるＵＲＬと、記憶装置のアドレス０３に記憶されているアタリＵＲＬとの比較処理を実行する。
【００３０】
比較処理によって、ページめくり情報に含まれるＵＲＬと、記憶装置に記憶されているアタリＵＲＬとが合致するとの結果が得られた場合には、この比較処理結果の算出がトリガとなり、メインメモリのワーク領域に展開されたアタリ信号送信プログラム（アドレス１２）がＣＰＵによって実行される。アタリ信号送信プログラムは、ページめくり情報に含まれる端末装置ＩＤで識別される端末装置に対して、Ｉ／Ｏ（出力インターフェイス）（０３１４）を介して、アタリ信号を送信する。アタリ信号は、ゴホウビ情報を含有するデータであり、一例として、電子マネーに加算すべき額を示すデータや、特典ページを表示するためのＵＲＬ、特典ファイルをダウンロードできる復号鍵などのデータなどが該当する。
【００３１】
一方、端末装置はＩ／Ｏ（入力インターフェイス）を介して、アタリ信号を受信し、一旦メインメモリのデータ領域（アドレス１００）などに格納しておく。アタリ信号のメインメモリへの格納がトリガとなり、メインメモリのワーク領域に展開されたゴホウビ情報出力プログラム（アドレス１２）がＣＰＵによって実行される。ゴホウビ情報出力プログラムは、メインメモリから読み出したアタリ信号に基づいてゴホウビ情報を取得し、これを出力する。ゴホウビ情報の出力は、一例として、電子マネーの加算や、Ｉ／Ｏ（出力インターフェイス）を介して表示装置へ特典ファイルのダウンロードが実行可能なページを表示することなどで実現できる。
【００３２】
なお、以上の説明においては、各部はソフトウェアで構成されているものとして説明したがハードウェアで構成されていてもよい。
【００３３】
＜実施形態１：処理の流れ＞  図４は、本実施形態のウエッブ遊戯システムにおけるウエッブ遊戯方法の流れの一例を示したものである。なお、以下に示す処理の流れは、方法、計算機に実行させるためのプログラムで実行することができ、またこのプログラムを計算機によって読取り可能な記録媒体に記録することができる。（本明細書のその他の処理の流れについても同様である。）
【００３４】
まず、アタリ信号サーバ装置にて、端末装置ＩＤと、その端末装置において切り替えのたびに新たに表示されるウエッブページのＵＲＬと、を含むページめくり情報を所定の情報源から取得する（Ｓ０４０１）。続いて、取得したページめくり情報に含まれるＵＲＬが、アタリ信号サーバ装置に保持されているアタリＵＲＬと合致するか判断する（Ｓ０４０２）。合致するとの判断結果である場合には、その端末装置に対してアタリ信号を送信する（Ｓ０４０３）。合致しないとの判断結果である場合には、アタリ信号サーバ装置の処理を終了する。
【００３５】
次に、端末装置にて、アタリ信号サーバ装置からアタリ信号を受信する（Ｓ０４０４）。続いて、受信したアタリ信号に基づいてゴホウビ情報を取得し、ゴホウビ情報を出力する（Ｓ０４０５）。
【００３６】
なお、Ｓ０４０１にて取得するページめくり情報の所定の情報源は端末装置の場合もある。
【００３７】
＜実施形態１：効果＞  本実施形態は、端末装置において切り替えのたびに新たに表示されるウエッブページのＵＲＬと、アタリ信号サーバ装置に保持されているアタリＵＲＬとが合致する場合には、その端末装置に対してアタリ信号を送信するアタリ信号サーバ装置と、受信したアタリ信号に基づいてゴホウビ情報を取得する端末装置と、からなるウエッブ遊戯システムである。閲覧しているウエッブページにアタリが設定されている場合には、ユーザはゴホウビを得ることができるため、ウエッブページの閲覧に娯楽性、遊戯性が加わることになり、アクセス数の増加が期待できる。
【００３８】
＜＜実施形態２＞＞
【００３９】
本実施形態の概要について説明する。本実施形態は、端末装置にてユーザからアタリＵＲＬを受け付けて、アタリ信号サーバ装置に対して送信することを特徴とするウエッブ遊戯システムである。
【００４０】
＜実施形態２：構成＞  図５は、本実施形態のウエッブ遊戯システムの機能ブロックの一例を示したものである。  図５に示す本実施形態の「ウエッブ遊戯システム」（０５００）は、「アタリ信号サーバ装置」（０５１０）と、「端末装置」（０５２０）とからなる。アタリ信号サーバ装置（０５１０）は、「アタリＵＲＬ保持部」（０５１１）と、「判断部」（０５１２）と、「アタリ信号送信部」（０５１３）と、さらに、「アタリＵＲＬ受付部」（０５１４）と、を有する。端末装置（０５２０）は、「ウエッブページ切替表示部」（０５２１）と、「アタリ信号受信部」（０５２２）と、「ゴホウビ情報出力部」（０５２３）と、さらに、「アタリＵＲＬ入力受付部」（０５２４）と、「アタリＵＲＬ送信部」（０５２５）と、を有する。
【００４１】
（アタリＵＲＬ受付部  ０５１４）  「アタリＵＲＬ受付部」（０５１４）は、端末装置からアタリＵＲＬを受付けてアタリＵＲＬ保持部（０５１１）に保持させる。
【００４２】
（アタリＵＲＬ入力受付部  ０５２４）  「アタリＵＲＬ入力受付部」（０５２４）は、ユーザからアタリＵＲＬの入力を受け付ける。アタリＵＲＬは、入力欄にキーボードなどを用いて入力する場合の他、指定するＵＲＬで示されるウエッブページを表示した状態で、所定の操作をすることで入力完了となる場合などが例示できる。
【００４３】
（アタリＵＲＬ送信部  ０５２５）  「アタリＵＲＬ送信部」（０５２５）は、受け付けたアタリＵＲＬをアタリ信号サーバ装置に対して送信するための処理を行なう。
【００４４】
その他各部の処理については、実施形態１と同様である。
【００４５】
＜実施形態２：ハードウェア構成＞  図６は、本実施形態のハードウェア構成の一例を示す概略図である。この図を利用して、ウエッブ遊戯システムの処理実行におけるそれぞれのハードウェア構成部の働きについて、主に実施形態１との差異を中心に説明する。アタリ信号サーバ装置（０６１０）は、「ＣＰＵ（中央演算装置）」（０６１１）と、「メインメモリ」（０６１２）と、「記憶装置（又は記憶媒体）」（０６１３）と、「Ｉ／Ｏ」（０６１４）と、「システムバス」（０６１５）と、を備える。なお、アタリＵＲＬ受付部における処理を実現するためには、ＣＰＵと、メインメモリと、記憶装置と、Ｉ／Ｏ（入力インターフェイス）と、を用いる。
【００４６】
同様に、端末装置（０６２０）は、「ＣＰＵ（中央演算装置）」（０６２１）と、「メインメモリ」（０６２２）と、「記憶装置（又は記憶媒体）」（０６２３）と、「Ｉ／Ｏ」（０６２４）と、「システムバス」（０６２５）と、を備える。なお、アタリＵＲＬ入力受付部における処理を実現するためには、メインメモリと、Ｉ／Ｏ（入力インターフェイス）と、を用い、アタリＵＲＬ送信部における処理を実現するためには、ＣＰＵと、メインメモリと、記憶装置と、Ｉ／Ｏ（出力インターフェイス）と、を用いる。
【００４７】
記憶装置（０６１３、０６２３）はＣＰＵ（０６１１、０６２１）にて実行される各種プログラムや、アタリＵＲＬなどを記憶している。また、メインメモリ（０６１２、０６２２）は記憶装置に記憶されているプログラムを実行するために、そのプログラムを読み出して展開する領域であるワーク領域と、データなどを一時的に格納するデータ領域とを提供する。
【００４８】
まず、端末装置（０６２０）の電源を入れると、記憶装置（０６２３）に記憶されているアタリＵＲＬ送信プログラム（アタリＵＲＬ送信部）（アドレス０３）などがメインメモリのワーク領域（アドレス１１〜１３）にそれぞれ展開される。同様に、アタリ信号サーバ装置（０６１０）においても、記憶装置（０６１３）に記憶されている各プログラムがメインメモリのワーク領域（アドレス１１、１２）にそれぞれ展開される。
【００４９】
端末装置が、Ｉ／Ｏ（入力インターフェイス）（０６２４）を介するなどして、利用者からアタリＵＲＬの入力を受け付けた場合には、その入力がトリガとなり、メインメモリのワーク領域に展開されたアタリＵＲＬ送信プログラム（アドレス１３）がＣＰＵによって実行される。アタリＵＲＬ送信プログラムは、受け付けたアタリＵＲＬを、一旦メインメモリのデータ領域（アドレス２００）などに格納しておいて、Ｉ／Ｏ（出力インターフェイス）を介してアタリ信号サーバ装置に送信する。
【００５０】
一方、アタリ信号サーバ装置（０６１０）では、Ｉ／Ｏ（入力インターフェイス）（０６１４）を介して、アタリＵＲＬを受け付けると、記憶装置のアドレス０３に追加して記憶する。
【００５１】
＜実施形態２：処理の流れ＞  図７は、本実施形態のウエッブ遊戯システムにおけるウエッブ遊戯方法について、アタリＵＲＬの入力の流れの一例を示したものである。
【００５２】
まず、端末装置にて、ユーザからアタリＵＲＬの入力を受け付ける（Ｓ０７０１）。続いて、受け付けたアタリＵＲＬをアタリ信号サーバ装置に対して送信する（Ｓ０７０２）。
【００５３】
次に、アタリ信号サーバ装置にて、端末装置からアタリＵＲＬを受け付けて、保持する（Ｓ０７０３）。
【００５４】
＜実施形態２：効果＞  本実施形態は、端末装置にてユーザからアタリＵＲＬを受け付けて、アタリ信号サーバ装置に対して送信することを特徴とするウエッブ遊戯システムである。ユーザが任意にアタリＵＲＬを入力することができるため、よりウエッブページの閲覧に娯楽性、遊戯性が加わることになり、アクセス数の増加が期待できる。
【００５５】
＜＜実施形態３＞＞
【００５６】
本実施形態の概要について説明する。本実施形態は、端末装置がアタリ信号受信部と、ゴホウビ情報出力部と、ウエッブ表示情報送信部と、を組み込んだツールバーシステムを有することを特徴とするウエッブ遊戯システムである。
【００５７】
＜実施形態３：構成＞  図８は、本実施形態のウエッブ遊戯システムの機能ブロックの一例を示したものである。  図８に示す本実施形態の「ウエッブ遊戯システム」（０８００）は、「アタリ信号サーバ装置」（０８１０）と、「端末装置」（０８２０）とからなる。アタリ信号サーバ装置（０８１０）は、「アタリＵＲＬ保持部」（０８１１）と、「判断部」（０８１２）と、「アタリ信号送信部」（０８１３）と、を有する。端末装置（０８２０）は、「ウエッブページ切替表示部」（０８２１）と、「アタリ信号受信部」（０８２２）と、「ゴホウビ情報出力部」（０８２３）と、さらに、「ウエッブ表示情報送信部」（０８２４）と、「ツールバーシステム」（０８３０）と、を有する。なおさらに、アタリＵＲＬ受付部と、アタリＵＲＬ入力受付部と、アタリＵＲＬ送信部と、を有する場合もある。
【００５８】
（ウエッブ表示情報送信部  ０８２４）  「ウエッブ表示情報送信部」（０８２４）は、表示しているウエッブページのＵＲＬと、自身を識別する端末装置ＩＤとを取得してアタリ信号サーバ装置に送信する。送信は、ツールバーシステムを介して明示の操作が行なわれた場合に限られるものではなく、一定期間経過ごと、あるいは、ウエッブページの表示の切替ごとに行なわれるとしてもよい。送信したウエッブページのＵＲＬと、端末装置ＩＤとの情報はページめくり情報としてアタリ信号サーバ装置に取得される。
【００５９】
（ツールバーシステム  ０８３０）  「ツールバーシステム」（０８３０）とは、さまざまなコマンドの実行を１回のクリック操作で実行可能となるようにアイコンボタンを配置したコントロールのことをいう。ツールバーシステムは、アタリ信号受信部と、ゴホウビ情報出力部と、ウエッブ表示情報送信部と、を組み込む。ツールバーシステムは、例えば、アタリ信号を受信した際にはアタリ信号受信アイコンが点滅するなどして報知し、ゴホウビ情報の出力操作や、ウエッブ表示情報の送信操作がワンクリックで実行可能となる。
【００６０】
その他各部の処理については実施形態１、２と同様である。
【００６１】
＜実施形態３：ハードウェア構成＞  図９は、本実施形態のハードウェア構成の一例を示す概略図である。この図を利用して、ウエッブ遊戯システムの処理実行におけるそれぞれのハードウェア構成部の働きについて、主に実施形態１、２との差異を中心に説明する。アタリ信号サーバ装置（０９１０）は、「ＣＰＵ（中央演算装置）」（０９１１）と、「メインメモリ」（０９１２）と、「記憶装置（又は記憶媒体）」（０９１３）と、「Ｉ／Ｏ」（０９１４）と、「システムバス」（０９１５）と、を備える。
【００６２】
同様に、端末装置（０９２０）は、「ＣＰＵ（中央演算装置）」（０９２１）と、「メインメモリ」（０９２２）と、「記憶装置（又は記憶媒体）」（０９２３）と、「Ｉ／Ｏ」（０９２４）と、「システムバス」（０９２５）と、を備える。なお、ウエッブ閲覧情報送信部における処理を実現するためには、ＣＰＵと、メインメモリと、記憶装置と、Ｉ／Ｏ（出力インターフェイス）と、を用いる。
【００６３】
記憶装置（０９１３、０９２３）はＣＰＵ（０９１１、０９２１）にて実行される各種プログラムや、アタリＵＲＬなどを記憶している。また、メインメモリ（０９１２、０９２２）は記憶装置に記憶されているプログラムを実行するために、そのプログラムを読み出して展開する領域であるワーク領域と、データなどを一時的に格納するデータ領域とを提供する。
【００６４】
まず、端末装置（０９２０）の電源を入れると、記憶装置（０９２３）に記憶されているウエッブ閲覧情報送信プログラム（ウエッブ閲覧情報送信部）（アドレス０３）などがメインメモリのワーク領域（アドレス１１〜１３）にそれぞれ展開される。同様に、アタリ信号サーバ装置（０９１０）においても、記憶装置（０９１３）に記憶されている各プログラムがメインメモリのワーク領域（アドレス１１、１２）にそれぞれ展開される。
【００６５】
端末装置が、Ｉ／Ｏ（入力インターフェイス）（０９２４）を介するなどして、利用者から所定の操作を受け付けた場合には、その操作入力がトリガとなり、メインメモリのワーク領域に展開されたウエッブ閲覧情報送信プログラム（アドレス１３）がＣＰＵによって実行される。ウエッブ閲覧情報送信プログラムは、表示しているウエッブページのＵＲＬと、自身を識別する端末装置ＩＤとを記憶装置などから読み出して取得し、一旦メインメモリのデータ領域などに格納しておいて、Ｉ／Ｏ（出力インターフェイス）を介してアタリ信号サーバ装置に送信する。
【００６６】
一方、アタリ信号サーバ装置（０９１０）では、Ｉ／Ｏ（入力インターフェイス）（０９１４）を介して、送信された情報を取得すると、ページめくり情報としてメインメモリのアドレス１００に記憶する。ページめくり情報のメインメモリへの格納がトリガとなり、メインメモリのワーク領域に展開された判断プログラム（アドレス１１）がＣＰＵによって実行される。以降の流れについては実施形態１にて説明したとおりである。
【００６７】
＜実施形態３：処理の流れ＞  図１０は、本実施形態のウエッブ遊戯システムにおけるウエッブ遊戯方法について、ウエッブ閲覧情報の送信処理を含む処理の流れの一例を示したものである。
【００６８】
まず、端末装置は、表示しているウエッブページのＵＲＬと、自身を識別する端末装置ＩＤとを取得してアタリ信号サーバ装置に送信する（Ｓ１００１）。
【００６９】
次に、アタリ信号サーバ装置にて、送信された情報であるページめくり情報を取得する（Ｓ１００２）。続いて、取得したページめくり情報に含まれるＵＲＬが、アタリ信号サーバ装置に保持されているアタリＵＲＬと合致するか判断する（Ｓ１００３）。合致するとの判断結果である場合には、その端末装置に対してアタリ信号を送信する（Ｓ１００４）。合致しないとの判断結果である場合には、アタリ信号サーバ装置の処理を終了する。
【００７０】
次に、端末装置にて、アタリ信号サーバ装置からアタリ信号を受信する（Ｓ１００５）。続いて、受信したアタリ信号に基づいてゴホウビ情報を取得し、ゴホウビ情報を出力する（Ｓ１００６）。
【００７１】
＜実施形態３：効果＞  本実施形態は、端末装置がアタリ信号受信部と、ゴホウビ情報出力部と、ウエッブ表示情報送信部と、を組み込んだツールバーシステムを有することを特徴とするウエッブ遊戯システムである。ツールバーシステムを設けることで、ゴホウビ情報の出力操作や、ウエッブ表示情報の送信操作などがワンクリックで実行可能となる。また、例えば、アタリ信号を受信した際にはアタリ信号受信アイコンが点滅するなどして報知されれば、ゴホウビ情報をもれなく取得することができ、利便性が高い。
【００７２】
＜＜実施形態４＞＞
【００７３】
本実施形態の概要について説明する。本実施形態は、アタリ信号サーバ装置にて管理する同一ウエッブページを同時表示する他の端末装置ＩＤを、端末装置にて取得し、この端末装置ＩＤに基づいて同時視聴者を示す情報である同席者情報を取得して表示することを特徴とするウエッブ遊戯システムである。
【００７４】
＜実施形態４：構成＞  図１１は、本実施形態のウエッブ遊戯システムの機能ブロックの一例を示したものである。  図１１に示す本実施形態の「ウエッブ遊戯システム」（１１００）は、「アタリ信号サーバ装置」（１１１０）と、「端末装置」（１１２０）とからなる。アタリ信号サーバ装置（１１１０）は、「アタリＵＲＬ保持部」（１１１１）と、「判断部」（１１１２）と、「アタリ信号送信部」（１１１３）と、さらに、「同時端末ＩＤ管理部」（１１１４）と、「同時端末ＩＤ送信部」（１１１５）と、を有する。端末装置（１１２０）は、「ウエッブページ切替表示部」（１１２１）と、「アタリ信号受信部」（１１２２）と、「ゴホウビ情報出力部」（１１２３）と、「ウエッブ表示情報送信部」（１１２４）と、さらに、「同時端末ＩＤ取得部」（１１２５）と、「同席者情報表示部」（１１２６）と、「ツールバーシステム」（１１３０）と、を有する。なおさらに、アタリＵＲＬ受付部と、アタリＵＲＬ入力受付部と、アタリＵＲＬ送信部と、を有する場合もある。
【００７５】
（同時端末ＩＤ管理部  １１１４）  「同時端末ＩＤ管理部」（１１１４）は、ページめくり情報に基づいて同時端末ＩＤを管理する。同時端末ＩＤとは、同一ウエッブページを同時表示する他の端末装置ＩＤをいう。ここで、ページめくり情報には、端末装置ＩＤと、その端末装置において表示されているＵＲＬが含まれている。同時端末ＩＤ管理部は、同時に同一のＵＲＬを表示する端末装置ＩＤが複数ある場合には、その複数の端末装置ＩＤを同時端末ＩＤとしてグループ化することで、同時端末ＩＤを管理する。
【００７６】
（同時端末ＩＤ送信部  １１１５）  「同時端末ＩＤ送信部」（１１１５）は、管理されている同時端末ＩＤを端末装置のツールバーシステムに対して送信する。同時端末ＩＤが、例えば三つの端末装置ＩＤにより構成されている場合には、一の端末装置に他の二つの端末装置ＩＤを送信する。
【００７７】
（同時端末ＩＤ取得部  １１２５）  「同時端末ＩＤ取得部」（１１２５）は、同時端末ＩＤを取得する。同時端末ＩＤ取得部がツールバーシステムに組み込まれていることから、例えば、同時端末ＩＤが送信された際には同時端末ＩＤ取得アイコンが点滅するなどして報知されることを想定している。
【００７８】
（同席者情報表示部１１２６）  「同席者情報表示部」（１１２６）は、同時端末ＩＤに基づいて所定の情報源から同時視聴者を示す情報である同席者情報を取得して表示する。同席者情報を取得元となる所定の情報源とは、アタリ信号サーバ装置の場合の他、端末装置ＩＤとその利用者を管理するサーバなどが該当する。同席者情報表示部がツールバーシステムに組み込まれていることから、例えば、同席者情報を取得した際には同席者情報取得アイコンが点滅するなどして報知され、ワンクリックによってそれが表示画面に表示されることなどを想定している。同席者情報が表示されることで、誰が同一ウエッブページを同時に視聴しているかがユーザに認識可能となる。
【００７９】
その他各部の処理については実施形態１から３と同様である。
【００８０】
＜実施形態４：ハードウェア構成＞  図１２は、本実施形態のハードウェア構成の一例を示す概略図である。この図を利用して、ウエッブ遊戯システムの処理実行におけるそれぞれのハードウェア構成部の働きについて、主に実施形態１から３との差異を中心に説明する。アタリ信号サーバ装置（１２１０）は、「ＣＰＵ（中央演算装置）」（１２１１）と、「メインメモリ」（１２１２）と、「記憶装置（又は記憶媒体）」（１２１３）と、「Ｉ／Ｏ」（１２１４）と、「システムバス」（１２１５）と、を備える。なお、同時端末ＩＤ管理部における処理を実現するためには、ＣＰＵと、メインメモリと、記憶装置と、を用い、同時端末ＩＤ送信部における処理を実現するためには、Ｉ／Ｏ（出力インターフェイス）を用いる。
【００８１】
同様に、端末装置（１２２０）は、「ＣＰＵ（中央演算装置）」（１２２１）と、「メインメモリ」（１２２２）と、「記憶装置（又は記憶媒体）」（１２２３）と、「Ｉ／Ｏ」（１２２４）と、「システムバス」（１２２５）と、を備える。なお、同時端末ＩＤ取得部における処理を実現するためには、Ｉ／Ｏ（入力インターフェイス）を用い、同席者情報表示部における処理を実現するためには、さらに、ＣＰＵと、メインメモリと、記憶装置と、Ｉ／Ｏ（出力インターフェイス）を用いる。
【００８２】
記憶装置（１２１３、１２２３）はＣＰＵ（１２１１、１２２１）にて実行される各種プログラムや、アタリＵＲＬなどを記憶している。また、メインメモリ（１２１２、１２２２）は記憶装置に記憶されているプログラムを実行するために、そのプログラムを読み出して展開する領域であるワーク領域と、データなどを一時的に格納するデータ領域とを提供する。
【００８３】
まず、端末装置（１２２０）の電源を入れると、記憶装置（１２２３）に記憶されている同席者情報表示プログラム（同席者情報表示部）（アドレス０４）などがメインメモリのワーク領域（アドレス１１〜１４）にそれぞれ展開される。同様に、アタリ信号サーバ装置（１２１０）においても、記憶装置（１２１３）に記憶されている同時端末ＩＤ管理プログラム（同時端末ＩＤ管理部）（アドレス０３）などがメインメモリのワーク領域（アドレス１１〜１３）にそれぞれ展開される。
【００８４】
アタリ信号サーバ装置（１２１０）では、Ｉ／Ｏ（入力インターフェイス）（１２１４）を介して、ページめくり情報を取得し、メインメモリのアドレス１００に記憶する。このとき、ページめくり情報のメインメモリへの格納がトリガとなり、メインメモリのワーク領域に展開された判断プログラム（アドレス１１）とともに、同時端末ＩＤ管理プログラム（アドレス１３）もＣＰＵによって実行される。同時端末ＩＤ管理プログラムは、ページめくり情報に含まれるＵＲＬ同士の比較処理を実行し、同一のＵＲＬと対応する端末装置ＩＤを抽出する。抽出された端末装置ＩＤは、同時端末ＩＤとして、一旦メインメモリのデータ領域（アドレス２００）などに格納しておく。その後、同時端末ＩＤを読み出し、Ｉ／Ｏ（出力インターフェイス）を介して、当該端末装置ＩＤで識別される端末装置に対して同時端末ＩＤを送信する。
【００８５】
一方、端末装置は、Ｉ／Ｏ（入力インターフェイス）（１２２４）を介するなどして、同時端末ＩＤを取得し、一旦メインメモリのデータ領域などに格納しておく。このとき、同時端末ＩＤのメインメモリへの格納がトリガとなり、メインメモリのワーク領域に展開された同席者情報表示プログラム（アドレス１４）がＣＰＵによって実行される。同席者情報表示プログラムは、同時端末ＩＤに基づいて、同席者情報を取得する。例えば、所定の情報源に対して同席者情報取得要求を出力し、これに応じて返信された同席者情報を取得することによって実現可能となる。取得した同席者情報はＩ／Ｏ（出力インターフェイス）を介して表示画面などに出力する。
【００８６】
＜実施形態４：処理の流れ＞  図１３は、本実施形態のウエッブ遊戯システムにおけるウエッブ遊戯方法について、同席者情報を取得するための処理の流れの一例を示したものである。
【００８７】
まず、端末装置は、表示しているウエッブページのＵＲＬと、自身を識別する端末装置ＩＤとを取得してアタリ信号サーバ装置に送信する（Ｓ１３０１）。
【００８８】
次に、アタリ信号サーバ装置にて、送信された情報であるページめくり情報を取得する（Ｓ１３０２）。続いて、取得したページめくり情報に基づいて同時端末ＩＤを管理する（Ｓ１３０３）。さらに、管理されている同時端末ＩＤを端末装置に対して送信する（Ｓ１３０４）。
【００８９】
次に、端末装置にて、アタリ信号サーバ装置から同時端末ＩＤを取得する（Ｓ１３０５）。最後に、同時端末ＩＤに基づいて所定の情報源から同席者情報を取得して表示する（Ｓ１３０６）。
【００９０】
＜実施形態４：効果＞  本実施形態は、アタリ信号サーバ装置にて管理する同一ウエッブページを同時表示する他の端末装置ＩＤを、端末装置にて取得し、この端末装置ＩＤに基づいて同時視聴者を示す情報である同席者情報を取得して表示することを特徴とするウエッブ遊戯システムである。同席者情報が表示されることで、ユーザは同一ウエッブページを同時に視聴している他のユーザを認識可能となる。同時視聴者の存在が確認できることで、連帯感が生まれ、ウエッブページへのアクセスを促進させる効果が期待できる。さらに、同時視聴者が多いウエッブページでは、一般的にユーザによってアタリが設定される可能性が高いといえることから、アタリを目当てに訪れるユーザも呼び込むことができる。
【００９１】
＜＜実施形態５＞＞
【００９２】
本実施形態の概要について説明する。本実施形態は、同時端末ＩＤで識別される端末装置ユーザ間でのみチャット処理を実行することを特徴とするウエッブ遊戯システムである。
【００９３】
＜実施形態５：構成＞  図１４は、本実施形態のウエッブ遊戯システムの機能ブロックの一例を示したものである。  図１４に示す本実施形態の「ウエッブ遊戯システム」（１４００）は、「アタリ信号サーバ装置」（１４１０）と、「端末装置」（１４２０）とからなる。アタリ信号サーバ装置（１４１０）は、「アタリＵＲＬ保持部」（１４１１）と、「判断部」（１４１２）と、「アタリ信号送信部」（１４１３）と、「同時端末ＩＤ管理部」（１４１４）と、「同時端末ＩＤ送信部」（１４１５）と、さらに、「チャット処理部」（１４１６）を有する。端末装置（１４２０）は、「ウエッブページ切替表示部」（１４２１）と、「アタリ信号受信部」（１４２２）と、「ゴホウビ情報出力部」（１４２３）と、「ウエッブ表示情報送信部」（１４２４）と、「同時端末ＩＤ取得部」（１４２５）と、「同席者情報表示部」（１４２６）と、さらに、「チャット入出力部」（１４２７）と、「チャット情報送受信部」（１４２８）と、「ツールバーシステム」（１４３０）と、を有する。なおさらに、アタリＵＲＬ受付部と、アタリＵＲＬ入力受付部と、アタリＵＲＬ送信部と、を有する場合もある。
【００９４】
（チャット入出力部  １４２７）  「チャット入出力部」（１４２７）は、チャット情報をユーザから受け付け、他のユーザからのチャット情報を出力するための処理を行なう。チャット情報の入力は、ユーザがキーボードなどを操作することで実行し、チャット情報の出力は、他のユーザからのチャット情報を表示画面などに表示することで実行する。チャット入出力部がツールバーシステムに組み込まれていることから、例えば、ユーザによってチャット情報を入力する際や、他のユーザからのチャット情報を出力する際には、ワンクリックにて入力画面、あるいは、出力画面が表示されるなどすることを想定している。
【００９５】
（チャット情報送受信部  １４２８）  「チャット情報送受信部」（１４２８）は、チャット入出力部（１４２７）にて入出力されるチャット情報の送受信をするための処理を行なう。チャット情報の送受信相手は、アタリ信号サーバ装置などが該当する。チャット情報送受信部がツールバーシステムに組み込まれていることから、例えば、ユーザによって入力されたチャット情報を送信する際や、他のユーザから送信されたチャット情報を受信する際には、ワンクリックにて実行可能となることなどを想定している。
【００９６】
（チャット処理部  １４１６）  「チャット処理部」（１４１６）は、端末装置のチャット情報送受信部（１４２８）から送信されるチャット情報を同時端末ＩＤ管理部（１４１４）にて管理されている同時端末ＩＤで識別される端末装置ユーザ間でのみ転送処理する。受信したチャット情報の送信元である端末装置の端末装置ＩＤが含まれる同時端末ＩＤを同時端末ＩＤ管理部から抽出し、その同時端末ＩＤで識別される端末装置に対してチャット情報を転送する。
【００９７】
その他各部の処理については実施形態１から４と同様である。
【００９８】
＜実施形態５：ハードウェア構成＞  図１５は、本実施形態のハードウェア構成の一例を示す概略図である。この図を利用して、ウエッブ遊戯システムの処理実行におけるそれぞれのハードウェア構成部の働きについて、主に実施形態１から４との差異を中心に説明する。アタリ信号サーバ装置（１５１０）は、「ＣＰＵ（中央演算装置）」（１５１１）と、「メインメモリ」（１５１２）と、「記憶装置（又は記憶媒体）」（１５１３）と、「Ｉ／Ｏ」（１５１４）と、「システムバス」（１５１５）と、を備える。なお、チャット処理部における処理を実現するためには、ＣＰＵと、メインメモリと、記憶装置と、Ｉ／Ｏと、を用いる。
【００９９】
同様に、端末装置（１５２０）は、「ＣＰＵ（中央演算装置）」（１５２１）と、「メインメモリ」（１５２２）と、「記憶装置（又は記憶媒体）」（１５２３）と、「Ｉ／Ｏ」（１５２４）と、「システムバス」（１５２５）と、を備える。なお、チャット入出力部における処理を実現するためには、Ｉ／Ｏを用い、チャット情報送受信部における処理を実現するためには、さらに、ＣＰＵと、メインメモリと、記憶装置と、を用いる。
【０１００】
記憶装置（１５１３、１５２３）はＣＰＵ（１５１１、１５２１）にて実行される各種プログラムや、アタリＵＲＬなどを記憶している。また、メインメモリ（１５１２、１５２２）は記憶装置に記憶されているプログラムを実行するために、そのプログラムを読み出して展開する領域であるワーク領域と、データなどを一時的に格納するデータ領域とを提供する。
【０１０１】
まず、端末装置（１５２０）の電源を入れると、記憶装置（１５２３）に記憶されているチャット情報送受信プログラム（チャット情報送受信部）（アドレス０５）などがメインメモリのワーク領域（アドレス１１〜１５）にそれぞれ展開される。同様に、アタリ信号サーバ装置（１５１０）においても、記憶装置（１５１３）に記憶されているチャット処理プログラム（チャット処理部）（アドレス０４）などがメインメモリのワーク領域（アドレス１１〜１４）にそれぞれ展開される。
【０１０２】
端末装置が、Ｉ／Ｏ（入力インターフェイス）（１５２４）を介するなどして、利用者からチャット情報の入力操作を受け付けた場合には、その入力がトリガとなり、メインメモリのワーク領域に展開されたチャット情報送受信プログラム（アドレス１５）がＣＰＵによって実行される。チャット情報送受信プログラムは、入力されたチャット情報をＩ／Ｏ（出力インターフェイス）を介してアタリ信号サーバ装置に送信する。また、Ｉ／Ｏ（入力インターフェイス）を介するなどして、アタリ信号サーバ装置から送信されるチャット情報を受信した場合にも、チャット情報送受信プログラムがＣＰＵによって実行される。チャット情報送受信プログラムは、受信したチャット情報をＩ／Ｏ（出力インターフェイス）を介して表示画面などに出力する。
【０１０３】
一方、アタリ信号サーバ装置（１５１０）では、Ｉ／Ｏ（入力インターフェイス）（１５１４）を介して、チャット情報を受け付け、一旦メインメモリのデータ領域（アドレス３００）などに格納しておく。チャット情報のメインメモリへの格納がトリガとなり、メインメモリのワーク領域に展開されたチャット処理プログラム（アドレス１４）がＣＰＵによって実行される。チャット処理プログラムは、まずメインメモリのデータ領域（アドレス２００）に格納されている同時端末ＩＤを読み出して検索し、チャット情報の送信元である端末装置が含まれる同時端末ＩＤを抽出する。次に、メインメモリのデータ領域（アドレス３００）に格納されているチャット情報を読み出し、当該同時端末ＩＤで識別される端末装置に対してＩ／Ｏ（出力インターフェイス）を介して、チャット情報を送信する。
【０１０４】
＜実施形態５：処理の流れ＞  図１６は、本実施形態のウエッブ遊戯システムにおけるウエッブ遊戯方法について、チャット情報を送受信するための処理の流れの一例を示したものである。
【０１０５】
まず、端末装置は、ユーザから入力されるチャット情報を受け付ける（Ｓ１６０１）。受け付けたチャット情報は、アタリ信号サーバ装置へ送信する（Ｓ１６０２）。
【０１０６】
次に、アタリ信号サーバ装置にて、端末装置から送信されたチャット情報を取得する（Ｓ１６０３）。続いて、管理する同時端末ＩＤからチャット情報の送信元である端末装置が含まれる同時端末ＩＤを抽出する（Ｓ１６０４）。この同時端末ＩＤで識別される端末装置に対してチャット情報を送信する（Ｓ１６０５）。
【０１０７】
また、端末装置は、アタリ信号サーバ装置から送信されるチャット情報を受け付けて、表示画面などに出力する（Ｓ１６０６）。
【０１０８】
＜実施形態５：効果＞  本実施形態は、同時端末ＩＤで識別される端末装置ユーザ間でのみチャット処理を実行することを特徴とするウエッブ遊戯システムである。同一ウエッブページを同時に視聴しているユーザ同士は嗜好が類似する傾向があるといえるが、類似する嗜好を有するユーザ同士でチャットができ、有意義である。
【図面の簡単な説明】
【０１０９】
【図１】実施形態１を説明するための概念図
【図２】実施形態１の機能ブロックの一例を示した図
【図３】実施形態１のハードウェア構成の一例を示した図
【図４】実施形態１の処理の流れを示した図
【図５】実施形態２の機能ブロックの一例を示した図
【図６】実施形態２のハードウェア構成の一例を示した図
【図７】実施形態２の処理の流れを示した図
【図８】実施形態３の機能ブロックの一例を示した図
【図９】実施形態３のハードウェア構成の一例を示した図
【図１０】実施形態３の処理の流れを示した図
【図１１】実施形態４の機能ブロックの一例を示した図
【図１２】実施形態４のハードウェア構成の一例を示した図
【図１３】実施形態４の処理の流れを示した図
【図１４】実施形態５の機能ブロックの一例を示した図
【図１５】実施形態５のハードウェア構成の一例を示した図
【図１６】実施形態５の処理の流れを示した図
【符号の説明】
【０１１０】
０２００    ウエッブ遊戯システム
０２１０    アタリ信号サーバ装置
０２１１    アタリＵＲＬ保持部
０２１２    判断部
０２１３    アタリ信号送信部
０２２０    端末装置
０２２１    ウエッブページ切替表示部
０２２２    アタリ信号受信部
０２２３    ゴホウビ情報出力部
【図１】
0004852775.tif 000002
【図２】
0004852775.tif 000003
【図３】
0004852775.tif 000004
【図４】
0004852775.tif 000005
【図５】
0004852775.tif 000006
【図６】
0004852775.tif 000007
【図７】
0004852775.tif 000008
【図８】
0004852775.tif 000009
【図９】
0004852775.tif 000010
【図１０】
0004852775.tif 000011
【図１１】
0004852775.tif 000012
【図１２】
0004852775.tif 000013
【図１３】
0004852775.tif 000014
【図１４】
0004852775.tif 000015
【図１５】
0004852775.tif 000016
【図１６】
0004852775.tif 000017